【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
原データに含まれる機密データと当該機密データの概要を示す付加データとのうち前記機密データから割符データを含んだ複数の分割データを電子割符プログラム又はソフトウエアを用いて生成する分割部と、
前記分割部が生成した複数の前記分割データのうち一部の前記分割データを記憶する分割データ記憶部と、
前記分割部が生成した複数の前記分割データの組み合わせ情報を記憶する組み合わせ記憶部と、
ネットワークを介して接続されたデータ保管サーバに対して、前記分割部が生成した複数の前記分割データのうち、前記分割データ記憶部が記憶していない前記分割データと、前記原データに含まれる前記付加データと、を送信する端末送信部と、
を備える端末装置と、
前記端末装置から送信される前記分割データと前記付加データとを受信する保管サーバ受信部と、
前記保管サーバ受信部が受信した前記分割データと前記付加データとを関連付けて記憶するデータ記憶部と、
を備える前記データ保管サーバと、
を含むことを特徴とするデータ保管システム。
【請求項２】
前記端末装置は、
前記組み合わせ記憶部が記憶する前記組み合わせ情報に基づいて、前記機密データを復元するために必要な複数の前記分割データを特定する特定部と、
前記特定部が特定した複数の前記分割データのうち前記分割データ記憶部が記憶する前記分割データを当該分割データ記憶部から読み出す復元部と、
他の装置から送信されるデータを受信する端末受信部と、
を備え、
前記データ保管サーバは、
他の装置に対してデータを送信する保管サーバ送信部
を備え、
前記端末送信部は、前記特定部が特定した複数の前記分割データのうち前記分割データ記憶部が記憶していない前記分割データの送信を要求する分割データ要求メッセージを前記データ保管サーバに対して送信し、
前記保管サーバ受信部は、前記分割データ要求メッセージを受信し、
前記保管サーバ送信部は、前記分割データ要求メッセージで要求される前記分割データを前記端末装置に対して送信し、
前記端末受信部は、前記データ保管サーバから送信される前記分割データを受信し、
前記復元部は、前記分割データ記憶部から読み出した前記分割データと、前記端末受信部が受信した前記分割データとに基づいて前記機密データを復元する
ことを特徴とする請求項１に記載のデータ保管システム。
【請求項３】
前記端末送信部は、前記付加データの送信を要求する付加データ要求メッセージを前記データ保管サーバに対して送信し、
前記保管サーバ受信部は、前記端末装置から送信される前記付加データ要求メッセージを受信し、
前記保管サーバ送信部は、受信した前記付加データ要求メッセージに基づいて前記データ記憶部が記憶している前記付加データを前記端末装置に対して送信し、
前記端末受信部は、前記データ保管サーバから送信される前記付加データを受信する
ことを特徴とする請求項２に記載のデータ保管システム。
【請求項４】
前記分割データ記憶部に記憶される一部の前記分割データは、前記端末送信部が送信する分割データよりもデータ容量が小さい
ことを特徴とする請求項１から請求項３のいずれか１項に記載のデータ保管システム。
【請求項５】
原データに含まれる機密データと当該機密データの概要を示す付加データとのうち前記機密データから割符データを含んだ複数の分割データを電子割符プログラム又はソフトウエアを用いて生成する分割部と、
前記分割部が生成した複数の前記分割データのうち一部の前記分割データを記憶する分割データ記憶部と、
前記分割部が生成した複数の前記分割データの組み合わせ情報を記憶する組み合わせ記憶部と、
ネットワークを介して接続されたデータ保管サーバに対して、前記分割部が生成した複数の前記分割データのうち、前記分割データ記憶部が記憶していない前記分割データと、前記原データに含まれる前記付加データと、を送信する端末送信部と、
を備えることを特徴とする端末装置。
【手続補正２】
【補正対象書類名】明細書
【補正対象項目名】０００６
【補正方法】変更
【補正の内容】
【０００６】
本発明は、原データに含まれる機密データと当該機密データの概要を示す付加データとのうち前記機密データから割符データを含んだ複数の分割データを電子割符プログラム又はソフトウエアを用いて生成する分割部と、前記分割部が生成した複数の前記分割データのうち一部の前記分割データを記憶する分割データ記憶部と、前記分割部が生成した複数の前記分割データの組み合わせ情報を記憶する組み合わせ記憶部と、ネットワークを介して接続されたデータ保管サーバに対して、前記分割部が生成した複数の前記分割データのうち、前記分割データ記憶部が記憶していない前記分割データと、前記原データに含まれる前記付加データと、を送信する端末送信部と、を備える端末装置と、前記端末装置から送信される前記分割データと前記付加データとを受信する保管サーバ受信部と、前記保管サーバ受信部が受信した前記分割データと前記付加データとを関連付けて記憶するデータ記憶部と、を備える前記データ保管サーバと、を含むことを特徴とするデータ保管システムである。
【手続補正３】
【補正対象書類名】明細書
【補正対象項目名】０００８
【補正方法】変更
【補正の内容】
【０００８】
また、本発明のデータ保管システムにおいて、前記端末送信部は、前記付加データの送信を要求する付加データ要求メッセージを前記データ保管サーバに対して送信し、前記保管サーバ受信部は、前記端末装置から送信される前記付加データ要求メッセージを受信し、前記保管サーバ送信部は、受信した前記付加データ要求メッセージに基づいて前記データ記憶部が記憶している前記付加データを前記端末装置に対して送信し、前記端末受信部は、前記データ保管サーバから送信される前記付加データを受信することを特徴とする。
【手続補正４】
【補正対象書類名】明細書
【補正対象項目名】００１０
【補正方法】変更
【補正の内容】
【００１０】
また、本発明は、原データに含まれる機密データと当該機密データの概要を示す付加データとのうち前記機密データから割符データを含んだ複数の分割データを電子割符プログラム又はソフトウエアを用いて生成する分割部と、前記分割部が生成した複数の前記分割データのうち一部の前記分割データを記憶する分割データ記憶部と、前記分割部が生成した複数の前記分割データの組み合わせ情報を記憶する組み合わせ記憶部と、ネットワークを介して接続されたデータ保管サーバに対して、前記分割部が生成した複数の前記分割データのうち、前記分割データ記憶部が記憶していない前記分割データと、前記原データに含まれる前記付加データと、を送信する端末送信部と、を備えることを特徴とする端末装置である。
【手続補正５】
【補正対象書類名】明細書
【補正対象項目名】００１１
【補正方法】変更
【補正の内容】
【００１１】
本発明のデータ保管システムによれば、端末装置は、原データに含まれる機密データと当該機密データの概要を示す付加データとのうち機密データから割符データを含んだ複数の分割データを電子割符プログラム又はソフトウエアを用いて生成する分割部と、分割部が生成した複数の前記分割データのうち一部の分割データを記憶する分割データ記憶部と、分割部が生成した複数の分割データの組み合わせ情報を記憶する組み合わせ記憶部と、分割部が生成した複数の分割データのうち、分割データ記憶部が記憶していない分割データと、原データに含まれる付加データとをデータ保管サーバに対して送信する端末送信部とを備える。また、データ保管システムは、端末装置から送信される分割データと付加データとを受信する保管サーバ受信部と、保管サーバ受信部が受信した分割データと付加データとを関連付けて記憶するデータ記憶部とを備える。
【手続補正６】
【補正対象書類名】明細書
【補正対象項目名】００１３
【補正方法】変更
【補正の内容】
【００１３】
また、本発明の端末装置によれば、分割部は、原データに含まれる機密データと当該機密データの概要を示す付加データとのうち機密データから割符データを含んだ複数の分割データを電子割符プログラム又はソフトウエアを用いて生成する。また、分割データ記憶部は、分割部が生成した複数の分割データのうち一部の分割データを記憶する。また、組み合わせ記憶部は、分割部が生成した複数の分割データの組み合わせ情報を記憶する。また、端末送信部は、分割部が生成した複数の分割データのうち、分割データ記憶部が記憶していない分割データと、原データに含まれる付加データとをデータ保管サーバに対して送信する。